(57)【要約】【課題】ケースに照明装置本体を安定して保持することができる照明装置を提供する。【解決手段】ケース１の内側の両端付近には、弾性を有する引掛けばね１３、照明装置本体２を固定するための台座金具１４を取り付けてある。照明装置本体２は、複数のＬＥＤ５を実装した複数の基板２２、基板２２を固定する固定板２３、ＬＥＤ５を保護するための保護板２１などを備えている。固定板２３の短手側の両端には、引掛けばね１３の曲部を挿通するための挿通孔２３３を形成してある。照明装置本体２をケース１に取り付ける場合、照明装置本体２を押し上げて、引掛けばね１３の曲部が挿通孔２３３内を摺動しつつ挿通孔２３３により押縮され、引掛けばね１３の曲部が挿通孔２３３を挿通させる。この状態で引掛けばね１３の曲部が元の寸法に復帰し、引掛けばね１３の一端部が固定板２３に係止する。【選択図】図２
2010092691.tif 000002
【特許請求の範囲】
【請求項１】
ケースと、該ケースに取り付けることができる照明装置本体とを備える照明装置において、
前記ケースは、
前記照明装置本体を取り付けるための取付け部材を有し、
前記照明装置本体は、
前記取付け部材を挿通する挿通孔を有し、
前記取付け部材は、
前記挿通孔に挿通された後、挿通させた面の裏面側から前記照明装置本体を保持するように構成してあることを特徴とする照明装置。
【請求項２】
前記取付け部材は、弾性を有し、
前記取付け部材を前記挿通孔に挿通させる場合、弾性により前記挿通孔に挿通できる寸法に前記取付け部材を変形するように構成してあることを特徴とする請求項１に記載の照明装置。
【請求項３】
前記取付け部材は、
板体と湾曲した曲部とを有し、
該曲部により、弾性が付与されてなることを特徴とする請求項１又は請求項２に記載の照明装置。
【請求項４】
前記取付け部材は、
先端部が前記曲部によって対向する板体に対して離れる方向に曲がっていることを特徴とする請求項３に記載の照明装置。
【請求項５】
前記ケースは、
平面視が矩形状をなし、
前記取付け部材は、
矩形状をなした前記ケースの四隅近傍の少なくとも１組の対角位置に設けられていることを特徴とする請求項４に記載の照明装置。
【請求項６】
前記取付け部材は、
前記先端部が前記ケースの内側になるように配設してあることを特徴とする請求項５に記載の照明装置。
【請求項７】
前記照明装置本体は、
複数の光源が実装された基板と、
前記挿通孔を形成してあり、前記基板を所定の位置に固定するための固定板と
を備えることを特徴とする請求項１から請求項６までのいずれか１項に記載の照明装置。
【請求項８】
前記ケース及び照明装置本体は、
前記ケースに照明装置本体を取り付けるためのネジ穴を設けてあり、
前記照明装置本体をネジで前記ケースに装着するように構成してあることを特徴とする請求項１から請求項７までのいずれか１項に記載の照明装置。
【発明の詳細な説明】
【技術分野】
【０００１】
本発明は、ケース及びケースに着脱可能に取り付けることができる照明装置本体を備える照明装置に関し、特に天井等に取り付けられたケースに照明装置本体を取り付ける埋め込み型照明装置に関する。
【背景技術】
【０００２】
天井等に埋め込んで設置される埋め込み型照明装置は、天井等に取り付けられるケース、ケースに着脱することができる照明装置本体や透光性のカバーなどを備えている。埋め込み型照明装置を設置する場合、予め天井に所定の大きさの開口部を設け、その開口部に予めランプや点灯装置（電源装置）などを組み込んだケースを取り付けておく。そして、ケースの下側から照明装置本体やカバーなどをケースに取り付ける。
【０００３】
例えば、ランプを内蔵し天井に埋め込んで取り付けられた灯具ケースにルーバや光拡散性の制光体を取り付ける埋め込み型照明器具であって、制光体は、灯具ケースに着脱可能に引掛けられる板ばねを備え、制光体を灯具ケースの下側から押し込むことにより、ワンタッチ操作で制光体を灯具ケースに取り付けることができる埋め込み型照明器具が開示されている（特許文献１参照）。
【特許文献１】特開２００３−２５７２３１号公報
【発明の開示】
【発明が解決しようとする課題】
【０００４】
しかしながら、特許文献１に開示された埋め込み型照明器具にあっては、板ばねの形状がくの字状であり、くの字状の枠係合部が灯具ケース内部のばね受け部に弾性的に引っ掛って係合する構造を有している。そして、制光体を灯具ケースから取り外す場合、制光体を下方に引き出すだけで、枠係合部がばね受け部から外れ、制光体を取り外すことができる。このため、制光体を少し引っ張るだけで簡単に外れてしまうという問題があり、ケースに照明装置本体などを取り付ける場合に、照明装置本体を安定して保持することができる照明装置が望まれていた。
【０００５】
本発明は斯かる事情に鑑みてなされたものであり、ケースに照明装置本体を安定して保持することができる照明装置を提供することを目的とする。
【課題を解決するための手段】
【０００６】
本発明に係る照明装置は、ケースと、該ケースに取り付けることができる照明装置本体とを備える照明装置において、前記ケースは、前記照明装置本体を取り付けるための取付け部材を有し、前記照明装置本体は、前記取付け部材を挿通する挿通孔を有し、前記取付け部材は、前記挿通孔に挿通された後、挿通させた面の裏面側から前記照明装置本体を保持するように構成してあることを特徴とする。
【０００７】
本発明に係る照明装置は、前記取付け部材は、弾性を有し、前記取付け部材を前記挿通孔に挿通させる場合、弾性により前記挿通孔に挿通できる寸法に前記取付け部材を変形するように構成してあることを特徴とする。
【０００８】
本発明に係る照明装置は、前記取付け部材は、板体と湾曲した曲部とを有し、該曲部により、弾性が付与されてなることを特徴とする。
【０００９】
本発明に係る照明装置は、前記取付け部材は、先端部が前記曲部によって対向する板体に対して離れる方向に曲がっていることを特徴とする。
【００１０】
本発明に係る照明装置は、前記ケースは、平面視が矩形状をなし、前記取付け部材は、矩形状をなした前記ケースの四隅近傍の少なくとも１組の対角位置に設けられていることを特徴とする。
【００１１】
本発明に係る照明装置は、前記取付け部材は、前記先端部が前記ケースの内側になるように配設してあることを特徴とする。
【００１２】
本発明に係る照明装置は、前記照明装置本体は、複数の光源が実装された基板と、前記挿通孔を形成してあり、前記基板を所定の位置に固定するための固定板とを備えることを特徴とする。
【００１３】
本発明に係る照明装置は、前記ケース及び照明装置本体は、前記ケースに照明装置本体を取り付けるためのネジ穴を設けてあり、前記照明装置本体をネジで前記ケースに装着するように構成してあることを特徴とする。
【００１４】
本発明にあっては、ケースは、照明装置本体を取り付けるための取付け部材を有し、照明装置本体は、取付け部材を挿通する挿通孔を有する。そして、取付け部材は、挿通孔に挿通された後、挿通させた面の裏面側から照明装置本体を保持する。例えば、照明装置本体をケースに取り付けた状態で、照明装置本体は、取付け部材を挿通させた面の裏面側（下側）から保持される。これにより、照明装置本体の落下を防止することができ、照明装置本体をケースに確実に保持することができる。
【００１５】
本発明にあっては、取付け部材は、弾性を有し、取付け部材を挿通孔に挿通させる場合、弾性により挿通孔に挿通できる寸法に取付け部材を変形する。すなわち、照明装置本体をケースに取り付ける場合、取付け部材の弾性を利用して取付け部材を変形させて、照明装置本体の挿通孔を挿通させ、挿通した後は、弾性により元の寸法に復帰させる。取り付け状態では、取付け部材は元の寸法に復帰しているので、照明装置本体が不用意に外れることがなく、ケースに照明装置本体を安定して保持する（仮留めする）ことができる。
【００１６】
本発明にあっては、取付け部材は、板体と湾曲した曲部とを有し、曲部により、弾性が付与されてなる。例えば、取付け部材は、長方形状の板体と、その板体の一端部の近傍をＵ字状に湾曲した曲部とを有し、曲部により弾性が付与される。そして、曲部は、弾性により湾曲した板体同士の離隔寸法を小さくした状態で挿通孔に挿通するようにしてある。すなわち、照明装置本体をケースに取り付ける場合、取付け部材のＵ字状に湾曲した曲部の弾性を利用して曲部の板体同士の離隔寸法を小さくして挿通孔に挿通させる。そして、照明装置本体をケースに取り付け状態では、取付け部材の曲部（板体同士の離隔寸法）は元の寸法に復帰し、取付け部材の曲部の一端部は、照明装置本体の挿通孔付近の挿通させた面の裏面側から照明装置本体を保持する。これにより、照明装置本体が不用意に外れることがなく、ケースに照明装置本体を安定して保持することができる。また、照明装置本体をケースに取り付ける場合、挿通孔に曲部を当接させて押し込むことで、Ｕ字状の曲部が挿通孔で押圧されて板体同士の離隔寸法が小さくなり挿通孔に挿通させることができるので、照明装置本体をケースに容易に取り付けることができ、照明装置の天井等への設置作業の作業性が向上する。
【００１７】
本発明にあっては、取付け部材は、先端部（板体の一端部）が曲部によって対向する板体に対して離れる方向（外側）に曲がっている。すなわち、曲部の一端部が挿通孔から離れる方向に曲がっているので、例えば、照明装置本体に加わった何らかの力により曲部が挿通孔に入り込んで誤って照明装置本体がケースから外れるという事態を防止して、一層ケースと照明装置本体との保持の安定性を高めることができる。また、照明装置本体をケースから外す場合、曲部を指で押圧して、外側（板体に対して離れる方向）に曲がった一端部を挿通孔にはめ込むことで一旦曲部を押圧した状態で挿通孔に維持することができ、照明装置本体の取り外し作業が容易になる。
【００１８】
本発明にあっては、ケースは、平面視が矩形状をなし、取付け部材は、矩形状をなしたケースの四隅近傍の少なくとも１組の対角位置に設けられている。これにより、照明装置本体をバランス良くケースに保持することができる。
【００１９】
本発明にあっては、取付け部材は、曲部の一端部がケースの内側になるように配設してある。これにより、照明装置を天井等に設置する作業員は、照明装置本体をケースから外す場合、曲部の端部付近とケースとを指で挟むことで曲部を押圧することができ、取り外し作業が容易になる。
【００２０】
本発明にあっては、照明装置本体は、複数の光源（例えば、ＬＥＤ）が実装された基板と、挿通孔を形成してあり、基板を所定の位置に固定するための固定板とを備える。これにより、ＬＥＤなどの光源が照明装置本体に内蔵され、カバー等に比べて重量が重い照明装置本体であっても、ケースに安定して保持することができる。
【００２１】
本発明にあっては、ケースに照明装置本体をネジで装着する。これにより、ネジでケースに照明装置本体を装着するまでの間、ケースに照明装置本体を安定して仮留めすることができる。
【発明の効果】
【００２２】
本発明によれば、ケースに照明装置本体を安定して保持することができる。
【発明を実施するための最良の形態】
【００２３】
以下、本発明をその実施の形態を示す図面に基づいて説明する。図１は本発明に係る照明装置１００の概略斜視図であり、図２は本発明に係る照明装置１００の概略分解斜視図である。図１に示すように、本発明に係る照明装置１００は、ケース（外ケース）１、照明装置本体２などを備えている。本実施の形態の照明装置１００は細長の照明装置であり、図１の矢印で記すように、ケース１が天井に埋め込まれる天井側となり、照明装置本体２が光を照射する照射側となる。なお、図１では、後述する保護板２１（パネル）を外した状態を示す。
【００２４】
図２に示すように、本発明に係る照明装置１００は、細長の形状であって、光源としての複数の発光ダイオード（以下、「ＬＥＤ５」という。）を収容する照明装置本体２、及びＬＥＤ５に電流を供給する電源回路部を収容した金属製の電源回路ボックス１１などを収容するケース１を別体として備え、例えば、天井等に埋め込まれたケース１に照明装置本体２を着脱することができる構造となっている。なお、電源回路部は、外部電源から供給される交流電圧を所定の直流電圧に変換する。
【００２５】
ケース１は、鉄等の金属からなる直方体の筐体であり、天井側（上面側）を天井面にボルト等で取り付けることができ、ケース１内部に、電源回路ボックス１１及び電源回路ボックス１１に天井裏に配設されている外部電源（不図示）からの電力線（不図示）を接続するための接続端子としての速結端子１２などを備えている。なお、電源回路ボックス１１を天井裏等に設置する構造であってもよい。
【００２６】
ケース１の内側の両端付近には、照明装置本体２を取り付ける（保持する、仮留めする）ための弾性を有する取付け部材としての引掛けばね１３、引掛けばね１３を所定の位置に配置してケース１に固定するとともに、照明装置本体２を固定するための台座金具１４を取り付けてある。
【００２７】
照明装置本体２は、複数のＬＥＤ５を実装した複数の基板２２、複数の基板２２を所定の位置にマトリクス状に配置して固定する固定板２３、ＬＥＤ５を保護するための保護板２１などを備えている。基板２２はビス等で固定板２３に取り付けてある。基板２２上には、コネクタ（不図示）を取り付けてあり、電源回路ボックス１１からの配線が接続されるようになっている。これにより、電源回路ボックス１１からＬＥＤ５に所要の電力を供給することができる。照明装置１００は、ＬＥＤ５から照射される光により面発光照明が可能となる。
【００２８】
ＬＥＤ５は、例えば、青色ＬＥＤと黄色蛍光体からなる擬似白色の表面実装型ＬＥＤである。擬似白色のＬＥＤから照射される光は、青色ＬＥＤが発する青色の光と、黄色蛍光体が青色ＬＥＤからの青色の光に励起されて発する黄色の光とが混合されるので、白色の光が照射されているように視感される。
【００２９】
固定板２３は、軽量かつ放熱性が良い金属製（例えば、アルミニウム）である。固定板２３は、底面２３１と、底面２３１の長手方向の両端部が屈曲した側面とを有し、長手方向に沿って側面の先端に二股に分かれた溝である凹部２３２を形成してある。固定板２３は、細長の略直方体形状（蒲鉾形状）である。また、固定板２３の短手側の両端には、引掛けばね１３の一部を挿通するための挿通孔２３３、配線を通すための後述する開口部２３５を形成してある。
【００３０】
また、固定板２３の両側面の凹部２３２には、ＬＥＤ５を保護する保護板２１を嵌め込んである。保護板２１は、ＬＥＤ５を外部から保護するとともに、ＬＥＤ５から照射される光のグレアを解消する。本実施の形態においては、保護板２１として、ポリカーボネート樹脂の乳白色の拡散板が用いられる。また、照明装置１００が設置される室内の照度を確保するために、保護板２１は、例えば、アクリル樹脂の透明板であってもよい。照明装置１００を設置する場所や用途に応じて、保護板２１の種類を選択可能とすることで、照明装置１００の汎用性が高めることができる。
【００３１】
また、固定板２３の短手方向の両端部には、固定板２３や保護板２１等の部品をケース１に保持するための保持部材３を設けてある。また、保持部材３に当接するようにして、サイドカバー４を取り付けるようにしてある。サイドカバー４は、例えば、白色の反射性の高い合成樹脂からなり、照明装置１００の両端から光が漏れることを防止する。
【００３２】
照明装置本体２を天井等に予め取り付けられたケース１に取り付ける場合、照射側の保護板２１を下側にしてケース１の下側に照明装置本体２がほぼ同じ位置になるように配置する。そして、照明装置本体２を上方に持ち上げ、引掛けばね１３の後述する曲部（１３０）が挿通孔２３３に当接するまでケース１に近づける。その後、照明装置本体２をさらに上方に押し上げることにより、弾性を有する引掛けばね１３の曲部が挿通孔２３３内を摺動しつつ挿通孔２３３により押圧され、引掛けばね１３の曲部が挿通孔２３３を挿通する。引掛けばね１３の曲部が挿通孔２３３を挿通した後は、弾性により元の寸法（形状）に復帰し、引掛けばね１３の曲部の寸法が挿通孔２３３の開口より大きくなるとともに、引掛けばね１３の曲部（曲部の一端部）が固定板２３に係止する。これにより、照明装置本体２をケース１に保持、仮留めすることができる。この状態で、配線等の接続作業を行うことができる。その後、ネジ等で照明装置本体２をケース１に固定することにより、照明装置本体２をケース１に装着することができる。
【００３３】
照明装置本体２をケース１から外す場合には、まず、ネジ等を取り外し、照明装置本体２をケース１に保持、仮留めした状態にして配線を外す。その後、引掛けばね１３の曲部を指で押えることにより押圧させて寸法を小さくし、引掛けばね１３の曲部を挿通孔２３３に挿通させることにより、照明装置本体２をケース１から外すことができる。以下、照明装置本体２とケース１との取り付け構造の詳細について説明する。
【００３４】
図３はケース１の端部の要部斜視図であり、図４は引掛けばね１３の外観斜視図であり、図５は照明装置本体２の固定板２３の端部の要部斜視図である。図３に示すように、台座金具１４は、鉄などの金属製であって、断面形状がＬ字状をなし、照明装置本体２の固定板２３を保持するための保持面１４１とケース１に取り付ける取付け面１４２とを有する。取付け面１４２を不図示のビス等で保持面１４１が照明側になるようにケース１の端面の内側に当接するように取り付けてある。
【００３５】
保持面１４１には、配線を通すための切欠部１４４や、固定板２３をネジで固定（装着）するためのネジ穴１４３を形成してある。また、台座金具１４の一端には、引掛けばね１３をケース１にビス等で固定するようにしてある。図３に示すように、引掛けばね１３を固定した状態で、引掛けばね１３の曲部が照射側になる。なお、図３では、ケース１の一端側を示しているが、ケース１の他方の端部も同様の構造をなしている。これにより、引掛けばね１３は、ケース１の四隅の角付近に対角線状に配置される。
【００３６】
図４に示すように、引掛けばね１３は、ステンレス製（例えば、ＳＵＳ３０１ＣＳＰ）の長方形状の板体であって、板体の一端部１３４の近傍をＵ字状に湾曲した曲部１３０を有する。曲部１３０は、板体１３１、湾曲部１３２、板体１３１と対向する板体である折返し部１３３、引掛けばね１３の先端部としての一端部１３４などにより構成されている。なお、この場合、Ｕ字状とは、厳密な意味でＵ字状をなすものに限定されるものではなく、例えば、Ｖ字状などの形状も含むものとする。
【００３７】
板体１３１と折返し部１３３（すなわち、板体同士）の離隔寸法は、一端部１３４の方向に向かって大きくしてある。引掛けばね１３の他端側は、Ｌ字状に折り曲げて、ケース１に取り付けるための取付け面１３５を設けてあり、取付け面１３５の所定位置には、取付け用のビス穴１３６を形成してある。
【００３８】
板体１３１、湾曲部１３２、折返し部１３３、一端部１３４などで構成される曲部１３０は、弾性を有し、折返し部１３３を板体１３１に近づけるには、折返し部１３３を板体１３１の方に向かって所要の力を加える必要がある。また、力を加えない状態では、元の寸法（形状）に戻る（板体１３１と折返し部１３３との離隔寸法が元の寸法に戻る）ようになっている。
【００３９】
また、曲部１３０の弾性の強さは、例えば、照明装置１００のユーザが、仮に保護板２１を外して、照明装置本体２をケース１から外そうと曲部１３０の折返し部１３３を外側から押しても簡単に押圧されて寸法が小さくならない程度の強さとすることができる。これにより、ユーザが照明装置本体２をケース１から取り外すことを抑制することができる。一方、照明装置１００の取り付けや取り外し作業を行う作業員には、予め照明装置本体２の取付け方法や取り外し方法を熟知させておくことができるので、曲部１３０の折返し部１３３を所要の力で押圧すれば、照明装置本体２を外すことができる。
【００４０】
なお、引掛けばね１３のケース１への取り付け方法は、上述の例に限定されるものではない。例えば、引掛けばね１３と台座金具１４とを一体化した構造でもよく、引掛けばね１３を台座金具１４から離隔して取り付ける構造でもよい。また、引掛けばね１３をケース１に取り付けた状態で曲部１３０が照射側に位置するような構造であれば、どのような取り付け構造でもよい。
【００４１】
図５に示すように、固定板２３の端部には、引掛けばね１３を押圧して挿通させるための平面視が長方形状の挿通孔２３３、配線を通すための開口部２３５、照明装置本体２をケースに装着するためのネジを取り付けるためのネジ穴２３６を形成してある。なお、ネジ穴２３６は、ネジ穴１４３と同一位置に形成してある。また、挿通孔２３３の長手方向の縁部のうち、内側の縁部は、引掛けばね１３の端部１３４を係止する係止部２３４となる。
【００４２】
挿通孔２３３の長手方向の寸法は、引掛けばね１３の幅寸法より若干大きくしてある。また、挿通孔２３３の短手方向の寸法は、力が作用していない状態での板体１３１の外面と折返し部１３３の外面との最大離隔寸法より小さくしてある。そして、曲部１３０を挿通孔２３３に押し込んだときに、折返し部１３３が挿通孔２３３の内周面で押されて、弾性により曲部１３０が押圧されて、板体１３１と折返し部１３３との離隔寸法が小さくなった状態で、曲部１３０が挿通することができる程度の寸法にしてある。
【００４３】
図６は照明装置本体２をケース１に取り付けた状態の照明装置本体２の固定板２３の端部の要部斜視図である。図６に示すように、照明装置本体２をケース１に取り付けた状態では、曲部１３０は挿通孔２３３を挿通し、元の寸法（形状）に復帰している。このため、板体１３１と折返し部１３３との離隔寸法が元の寸法に戻り、この状態では、曲部１３０の一端部１３４が係止部２３４に係止することになり、照明装置本体２はケース１から外れることがない。なお、係止部２３４は、引掛けばね１３が挿通孔２３３に挿通された後、挿通させた面（底面２３１）の裏面側に設けられている。
【００４４】
なお、照明装置本体２をケース１から外す場合には、折返し部１３３と照明装置本体２の外周部分とを指で摘んで押し縮めることにより、曲部１３０の寸法（板体１３１と折返し部１３３との離隔寸法）を小さくして挿通孔２３３を挿通させればよい。
【００４５】
図７は引掛けばね１３の配置例を示す説明図である。図７は照射側から（床面から天井面に向かって）照明装置本体２を見た場合を示す。図７に示すように、固定板２３の底面２３１の四隅近傍の１組の対角位置に設けられている。これにより、照明装置本体２をバランス良くケース１に保持することができる。
【００４６】
また、図７に示すように、引掛けばね１３の折返し部１３３がケース１の内側方向になるように配設し、板体１３１をケース１の外側方向になるように配設してある。すなわち、曲部１３０の一端部１３４がケース１の内側方向になるように配設してある。これにより、照明装置１００を天井等に設置する作業員は、照明装置本体２をケース１から外す場合、曲部１３０の端部付近である折返し部１３３とケース１とを指で挟むことで曲部１３０を押圧することができ、取り外し作業が容易になる。
【００４７】
次に、照明装置本体２をケース１へ取り付ける方法について説明する。図８は引掛けばね１３の状態を示す説明図である。ケース１が天井等に取り付けられた状態で、引掛けばね１３は、曲部１３０を下側（照射側）にしてケース１に突出して設けられた（垂設された）構造をなしている。照明装置本体２を天井等に予め取り付けられたケース１に取り付ける場合、ケース１の下側に、保護板２１を下側にして照明装置本体２がほぼ同じ位置になるように配置する。この状態では、図８（ａ）に示すように、引掛けばね１３は、固定板２３の底面２３１から離れている。
【００４８】
そして、照明装置本体２を上方に持ち上げ、引掛けばね１３の湾曲部１３２が挿通孔２３３に当接するまでケース１に近づける。この状態では、図８（ｂ）に示すように、曲部１３０の一部（主に湾曲部１３２）が挿通孔２３３に入り込んでいる。
【００４９】
その後、照明装置本体２をさらに上方に押し上げることにより、弾性を有する引掛けばね１３の板体１３１、湾曲部１３２、折返し部１３３が挿通孔２３３内を摺動しつつ、板体１３１及び折返し部１３３が挿通孔２３３により内側に押圧され、引掛けばね１３の曲部１３０が挿通孔２３３を挿通する。この状態では、図８（ｃ）に示すように、曲部１３０は押縮され、板体１３１と折返し部１３３とがお互いに接近する方向に変形している。
【００５０】
引掛けばね１３の曲部１３０が挿通孔２３３を挿通した後は、曲部１３０は弾性により元の寸法に復帰し、曲部１３０の形状、寸法が元に戻り、引掛けばね１３の曲部１３０の寸法（外形寸法）が挿通孔２３３の開口より大きくなるとともに、引掛けばね１３の曲部１３０の一端部１３４が固定板２３の底面２３１の係止部２３４に係止する。図８（ｄ）はこの状態を示している。
【００５１】
図８（ｄ）に示す状態では、引掛けばね１３の曲部１３０により照明装置本体２をケース１に保持、仮留めすることができる。このように、ケース１に照明装置本体２をワンプッシュで簡単に取り付ける（仮留め）ことができ、照明装置本体２の仮留め作業が容易になる。また、照明装置本体２を安定して保持することができる。この状態で、配線等の接続作業を行うことができる。その後、電源回路ボックス１１からの配線をコネクタで接続するとともに、ネジ等で照明装置本体２をケース１に固定することにより、照明装置本体２をケース１に装着することができる。
【００５２】
なお、その後、固定板２３の凹部２３２に保護板２１を嵌めこみ、保護板２１の照射方向側からサイドカバー４を保持部材３に当接させて照明装置本体２の両端に取り付ける。
【００５３】
上述したように、図８（ｄ）に示すように、照明装置本体２をケース１に取り付けた状態（仮留めの状態）では、引掛けばね１３の曲部１３０は弾性により元の形状、大きさに復帰し、引掛けばね１３の一端部１３４は、照明装置本体２（固定板２３）の係止部２３４に係止されるので、照明装置本体２が不用意に外れて落下することはない。そして、ケース１に照明装置本体２を安定して保持（仮留め）することができる。
【００５４】
また、照明装置本体２をケース１に取り付ける場合、挿通孔２３３に曲部１３０を当接させて押し込み、照明装置本体２を上方に上げるだけで、曲部１３０が押圧されて挿通孔２３３に挿通させることができるので、照明装置本体２をケース１に容易に取り付けることができ、照明装置１００の天井等への設置作業の作業性が向上する。
【００５５】
また、ケース１に引掛けばね１３の曲部１３０を下側にして引掛けばね１３を垂設してあり、折返し部１３３が下側から固定板２３を保持する構成としているので、照明装置本体２をケース１に取り付けた状態で、照明装置本体２は、係止部２３４に係止された曲部１３０の一端部１３４により下側から保持される。これにより、照明装置本体２の落下を防止することができ、照明装置本体２をケース１に確実に保持することができる。
【００５６】
また、照明装置本体２には、光源としてのＬＥＤ５が内蔵されており、光拡散板などのカバー等に比べて重量が重い場合であっても、ケース１に安定して保持することができる。
【００５７】
図９は引掛けばね１３の他の例を示す説明図である。図９に示すように、曲部１３０の一端部１３４をさらに外側に曲げてある。すなわち、先端部（板体の一端部１３４）が曲部１３０によって対向する板体１３１に対して離れる方向（外側）に曲がっている。曲部１３０の一端部１３４が外側、すなわち、曲部１３０の一端部１３４が挿通孔２３３から離れる方向に曲げてあるので、例えば、図９（ａ）に示すように、照明装置本体２に加わった何らかの力により曲部１３０が挿通孔２３３に入り込んで誤って照明装置本体２がケース１から外れるという事態を防止して、一層ケース１と照明装置本体２との保持の安定性を高めることができる。また、照明装置本体２をケース１から外す場合、図９（ｂ）に示すように、曲部１３０を指で押圧して寸法を小さくし、一端部１３４を挿通孔２３３にはめ込むことで、折返し部１３３の中途部（一端部１３４の曲がった部分）を挿通孔２３３内面に引掛けることができ、一旦曲部１３０を押縮した状態で挿通孔２３３に維持することができ、照明装置本体２の取り外し作業が容易になる。
【００５８】
図１０は引掛けばね１３の他の配置例を示す説明図である。この場合は、挿通孔２３３の長手方向がケース１の短手方向に沿って配置してある。そして、図１０に示すように、引掛けばね１３の折返し部１３３（すなわち、先端部としての一端部１３４）がケース１の内側方向になるように配設し、板体１３１をケース１の外側方向になるように配設してある。すなわち、曲部１３０の一端部１３４がケース１の内側方向になるように配設してある。この場合、内側方向とは、引掛けばね１３の位置から直近にあるケース１の外縁部と反対側の方向（内向きの方向）である。これにより、照明装置１００を天井等に設置する作業員は、照明装置本体２をケース１から外す場合、曲部１３０の折返し部１３３とケース１とを指で挟むことで曲部１３０を押圧することができ、取り外し作業が容易になる。
【００５９】
なお、上述の照明装置のケース１の平面視が矩形状であるが、これに限定されるものではない。ケースの平面視は、例えば、円形状や多角形状であってもよい。この場合でも、上述したように、ケースに取り付けられる取付け部材としての引掛けばね１３は、その一端部１３４が直近にあるケースの外縁部と反対側（内側）に向くように設置されていることが好ましい。また、引掛けばね１３が複数設けられている場合は、複数の引掛けばね１３が、ケースの中心を挟んで対向する位置に配置されていることが好ましい。すなわち、ケースの平面視が多角形状であれば、対角位置に設けることが好ましい。このような配置にすることで、平面視が矩形状のケース１の場合と同様に、ケースの取り外し作業が容易になる。
【００６０】
以上説明したように、本発明によれば、ケース１に照明装置本体２をワンプッシュで簡単に取り付ける（仮留め）ことができ、照明装置本体２の仮留め作業が容易になるとともに、照明装置本体２を安定して保持することができる。
【００６１】
上述の実施の形態では、照明装置１００は、細長状の形状であったが、これに限定されるものではなく、略正方形状のスクエア型の照明装置でもよい。また、光源としてＬＥＤを用いた照明装置を例示して説明したが、光源はＬＥＤに限定されず、ＥＬ（Electro-Luminescence）等の他の光源であってもよい。
【００６２】
上述の実施の形態では、引掛けばね１３を固定板２３の底面２３１の四隅近傍の１組の対角位置に設ける構成であったが、これに限定されるものではなく、四隅のすべてに配置することもできる。この場合、照明装置本体２の短手方向の２つの引掛けばね１３を連動する構造とすることで、一方の引掛けばね１３の曲部１３０を押縮すれば他方の引掛けばね１３の曲部１３０も同時に押縮されるようにしてもよい。これにより、作業性を損なうことなく仮留めの安定性を向上させることができる。
【００６３】
上述の実施の形態では、挿通孔は長方形状であったが、挿通孔の形状はこれに限定されるものではなく、他の形状でもよい。なお、この場合には、引掛けばねの形状も、弾性を有する曲部が押縮されて挿通孔を挿通できるのであれば、どのような形状でもよく、挿通孔に合わせて変えることができる。また、挿通孔の周囲の一部に切欠等が形成されていてもよく、あるいは、固定板の縁部と繋がるようにして切欠や開口が設けられていれもよい。
【図面の簡単な説明】
【００６４】
【図１】本発明に係る照明装置の概略斜視図である。
【図２】本発明に係る照明装置の概略分解斜視図である。
【図３】ケースの端部の要部斜視図である。
【図４】引掛けばねの外観斜視図である。
【図５】照明装置本体の固定板の端部の要部斜視図である。
【図６】照明装置本体をケースに取り付けた状態の照明装置本体の固定板の端部の要部斜視図である。
【図７】引掛けばねの配置例を示す説明図である
【図８】引掛けばねの状態を示す説明図である。
【図９】引掛けばねの他の例を示す説明図である。
【図１０】引掛けばねの他の配置例を示す説明図である。
【符号の説明】
【００６５】
１００  照明装置
１  ケース
２  照明装置本体
３  保持部材
４  サイドカバー
５  ＬＥＤ
１１  電源回路ボックス
１２  速結端子
１３  引掛けばね
１３０  曲部
１３１  板体
１３２  湾曲部
１３３  折返し部
１３４  一端部
１４  台座金具
２１  保護板
２２  基板
２３  固定板
２３１  底面
２３２  凹部
２３３  挿通孔
２３４  係止部
【図１】
2010092691.tif 000003
【図２】
2010092691.tif 000004
【図３】
2010092691.tif 000005
【図４】
2010092691.tif 000006
【図５】
2010092691.tif 000007
【図６】
2010092691.tif 000008
【図７】
2010092691.tif 000009
【図８】
2010092691.tif 000010
【図９】
2010092691.tif 000011
【図１０】
2010092691.tif 000012